(57)【要約】【課題】既存の施設に簡単に設置することができ、且つ片手で操作できる便利なロールペーパー耳出しカットホルダーを提供する。【解決手段】少なくとも上面の一部が開口された直方体の収納箱３と、ロールペーパー２の回転に応じて回転する回動部材と、中央より後側に開口部が形成されるように上面の少なくとも一部を閉塞する閉位置と上面が開放される開位置との間で回転する中蓋部材４と、略水平な状態で開口部が被覆される閉位置と後端部が収納箱３に当接する開位置との間で回動する上蓋部材５とを備える。【選択図】図１
2008212293.tif 000002
【特許請求の範囲】
【請求項１】
少なくとも上面の一部が開口された直方体の形状で、自立可能に据え置くための据え置き部が下部に備えられており、内部にロールペーパーが収納可能な収納箱と、
互いに離間した二本のローラーより構成されており、前記ロールペーパーの外周に接触するように前記収納箱の底部に配置され、前記ロールペーパーの回転に応じて回転する回動部材と、
前後方向において中央より前側の前記収納箱の側面に軸支されており、前記中央より後側に開口部が形成されるように前記上面の少なくとも一部を閉塞する閉位置と、前記上面が開放される開位置、との間で回転する中蓋部材と、
前記閉位置の時に切断歯が前記中蓋部材の表面から上側に突出するように前記中蓋部材の前面に取り付けられたカッター部材と、
前記中蓋部材を前記閉位置の方向に付勢する付勢手段と、
前記開口部より後側の前記収納箱の側面に軸支されており、略水平な状態で前記閉位置の前記中蓋を被覆する使用閉位置と、前記開口部が露出すると共に、該軸支されている回転軸よりも後方に重心が移動し、後端部が前記収納箱に当接することで位置が固定される取出開位置、との間で回転する上蓋部材と、
前記中蓋部材の表面に取り付けられ、前記上蓋部材が前記閉位置の状態で、前記開口部より引き出された前記ロールペーパーを構成する紙片を前記上蓋部材との協働で挟んで保持する保持手段と
を有することを特徴とするロールペーパー耳出しカットホルダー。
【請求項２】
所定の高さを有する移動可能な据え置き台の上面に設けられた被係合部に対して係合可能な係合部をさらに有することを特徴とする請求項１に記載のロールペーパー耳出しカットホルダー。
【発明の詳細な説明】
【技術分野】
【０００１】
本発明は、ロールペーパー耳出しカットホルダーに関し、特に、設置が容易で且つ片手で操作できるロールペーパー耳出しカットホルダーに関するものである。
【背景技術】
【０００２】
従来、多量の紙片をコンパクトにまとめて収納・設置する形態として、帯状の長い紙片をロール状に巻回したロールペーパーが用いられてきた。例えば、トイレットペーパーや紙ナプキン、キッチンタオルなどがその一例である。
【０００３】
このようなロールペーパーを支持する保持具としては、例えば、次のようなトイレットペーパーホルダーが広く知られている。つまり、トイレットペーパーの芯の部分に支持回転軸を挿入し、上部を上フタで覆うものである。使用者は、上フタを開放してトイレットペーパーの端部を使用者側に引っ張る。トイレットペーパーのロール本体は、前記の支持軸を中心にして回転し、使用者側にトイレットペーパーが引き出されていく。使用者は、上フタを片方の手で上から押さえ、他方の手で引き出したトイレットペーパーを上側に持ち上げ、上フタの端部に押し当てることで所定量を切断する。このようにして、ロール本体から所定量のトイレットペーパーを取り出す。
【０００４】
以上の従来技術は、当業者において当然として行われているものであり、出願人は、この従来技術が記載された文献を知見していない。
【発明の開示】
【発明が解決しようとする課題】
【０００５】
しかし、上記のトイレットペーパーホルダーには、以下に掲げる問題があった。すなわち、一方の手で上フタを押さえ、他方の手で紙を引き出して切断しなければならないので、片手での操作が困難であるという問題があった。従って、例えば身障者や老人、幼い子供等のように、両手での操作が困難な者には使いづらい場合があり、もっと使いやすいペーパーホルダーがかねてより望まれていた。
【０００６】
また、従来のトイレットペーパーホルダーでは、ロールペーパーを支持回転軸に挿入しなければいけないので、芯の部分を中空状に形成する必要があった。これにより、中実状のロールペーパーに比べて巻回される紙片の量が少なくなってしまうので、交換頻度が高くなって面倒であるという問題があった。さらに、従来のトイレットペーパーホルダーは壁に取り付ける構成であるため、壁が無いような場所には設置することができず、持ち運びもできないため不便であった。
【０００７】
そこで、本発明は、上記の実状に鑑み、既存の施設に簡単に設置することができ、且つ片手で操作できる便利なロールペーパー耳出しカットホルダーを提供することを課題とする。
【課題を解決するための手段】
【０００８】
本発明に係るロールペーパー耳出しカットホルダーは、「少なくとも上面の一部が開口された直方体の形状で、自立可能に据え置くための据え置き部が下部に備えられており、内部にロールペーパーが収納可能な収納箱と、互いに離間した二本のローラーより構成されており、前記ロールペーパーの外周に接触するように前記収納箱の底部に配置され、前記ロールペーパーの回転に応じて回転する回動部材と、前後方向において中央より前側の前記収納箱の側面に軸支されており、前記中央より後側に開口部が形成されるように前記上面の少なくとも一部を閉塞する閉位置と、前記上面が開放される開位置、との間で回転する中蓋部材と、前記閉位置の時に切断歯が前記中蓋部材の表面から上側に突出するように前記中蓋部材の前面に取り付けられたカッター部材と、前記中蓋部材を前記閉位置の方向に付勢する付勢手段と、前記開口部より後側の前記収納箱の側面に軸支されており、略水平な状態で前記閉位置の前記中蓋を被覆する使用閉位置と、前記開口部が露出すると共に、該軸支されている回転軸よりも後方に重心が移動し、後端部が前記収納箱に当接することで位置が固定される取出開位置、との間で回転する上蓋部材と、前記中蓋部材の表面に取り付けられ、前記上蓋部材が前記閉位置の状態で、前記開口部より引き出された前記ロールペーパーを構成する紙片を前記上蓋部材との協働で挟んで保持する保持手段とを有する」ことを特徴とする。
【０００９】
ここで、「ロールペーパー」とは、帯状の長い紙片を巻回してロール状にまとめたものであり、例えばトイレットペーパーやキッチンペーパー、クッキングペーパー、紙ナプキン、紙タオル等が例示できる。芯材は、有っても良いし、無くても構わない。どちらの場合でも、本発明に好適に使用される。
【００１０】
また、「前後方向において中央より前側」とは、平面視において、中央より使用者側に近い手前側を示し、「中央より後側」とは、使用者側から遠い奥側を示す。
【００１１】
さらに「付勢手段」とは、例えば圧縮バネや板バネ等のバネ部材や、ゴムのように伸縮する弾性部材を取り付けたもの、磁石の吸引力を利用したもの等を例示することができる。付勢手段を取り付ける位置については特に限定されず、要するに「中蓋部材を閉位置の方向に付勢する」ことができれば良い。なお、「付勢手段」としては、「中蓋部材を閉位置の方向に付勢すると共に、中蓋部材を開位置の状態に固定する」ものとしても良い。このように構成すれば、中蓋部材を開位置にしてロールペーパーを交換する作業を片手で行うことができ、より便利である。
【００１２】
また、「上蓋部材との協働で挟んで保持する」とは、略水平な閉位置に配置された上蓋部材の裏面側と、当該保持手段の表面との間にロールペーパーの紙片を挟み込み、紙片が動き難いよう保持する状態を示す。「保持手段」の構成としては、例えば中蓋部材の表面に取り付けられた厚みのあるスポンジでも良いし、爪状の突起物でも良い。要するに、上蓋部材が閉位置にある状態でその裏面側に当接可能な形状であれば良く、その構成は特に限定されない。
【００１３】
なお、「ロールペーパーを構成する紙片」とは、ロールペーパー本体から解かれた帯状の紙片を示すものであり、ロールされている本体部分とは異なることを示している。
【００１４】
従って、本発明のロールペーパー耳出しカットホルダーによれば、収納箱と、中蓋部材と、上蓋部材とを少なくとも有している。収納箱は、その内部にロールペーパーを収納することができる。また、収納箱内部の底面には、二本のローラーより構成される回動部材がさらに備えられている。回動部材は、ロールペーパーの外周に接触するように配置されており、ロールペーパーの回動に応じて回動する。
【００１５】
上蓋部材は、収納箱の後側に回動可能に軸支されている（正確には、開口部より後側に軸支されているが、開口部については後述にて説明する）。使用者は、軸支されている回動軸を中心として上蓋部材を回動させ、その重心が当該回転軸よりも後方へ位置する取出開位置まで移動させる。すると、上蓋部材の後端側が収納箱に当接して、上蓋部材が取出開位置の状態で固定される。つまり、使用者は、両手での操作は必要なく、片手で上蓋部材を開放し、取出開位置へと固定させておくことができる。
【００１６】
上蓋部材を取出開位置に開放すると、中蓋部材及び収納箱の上面側が露出する。中蓋部材は、前後方向において中央より前側の収納箱の側面に軸支されており、収納箱の上面が開放される開位置へと回動させることができる。従って、上蓋部材を取出開位置にした状態で中蓋部材を開位置にすると、開放された収納箱の上面よりロールペーパー本体を簡単に出し入れすることができる。
【００１７】
そして、中蓋部材を回動させて開位置から閉位置へと移動させると、収納箱の後側に開口部が形成された状態で当該上面の一部が閉塞される。収納箱の後側に開口部が形成されていることにより、使用者は、収納箱内部のロールペーパーの紙片を開口部から引き出すことができる。
【００１８】
ここで、本発明によれば、収納箱の底面に回動部材が備えられているから、ロールペーパーの回動に応じて回動部材が回動する。従って、回動を阻害する摩擦力が減るので、ロールペーパーが軽やかに回動する。これにより、使用者は、大きな力を必要とせずに簡単に紙片を引き出すことができる。また、引き出された紙片が途中で千切れてしまう虞が軽減し、所望量の紙片を自在に引き出すことができる。また、本発明によれば、回動部材は、互いに離間して設けられた二本のローラーより構成されている。従って、ロールペーパーが二本のローラーに対して夫々接触し、二点支持で安定して支持される。これにより、ローラーが一本である場合よりもロールペーパーの位置が安定するので、安定して回動させることが可能である。つまり、紙片を消耗していく過程で径の大きさが変わっても、安定してロールペーパーとロールとが接触するので、軽やかに回動させることができる。
【００１９】
さらに、本発明によれば、回動部材は収納箱の底部に備えられ、ロールペーパーの外周と接触した状態でロールペーパーの回動を補助する。つまり、従来のように、ロールペーパーの芯に支持回転軸を挿入させる必要がないから、芯の無い中実のロールペーパーを適用することができる。これにより、同じ直径のロールペーパーで比較した場合において、芯のある中空のロールペーパーよりも交換頻度が下がるので、便利である。さらに、ロールペーパーの芯の形状に依存せずに使用することができるから、幅広いタイプのロールペーパーに対応できる。
【００２０】
また、本発明によれば、中蓋部材の前面にはカッター部材がさらに備えられている。カッター部材は、中蓋部材が閉位置にあるときに、その切断歯が中蓋部材の表面から上側に突出するように取り付けられている。従って、使用者は、中蓋部材が閉位置にある状態で、開口部からロールペーパーの紙片を取り出す。そして、中蓋部材の前側まで紙片を引き出し、カッター部材の切断歯に押し当てて下側に引く。こうすることで、所定量の紙片を切断することができる。従来のトイレットペーパーホルダーでは、上側に紙を引き上げなければならないが、本発明のロールペーパー耳出しカットホルダーは、下側に紙を引くことで紙片を切り出すことができる。つまり、腕を持ち上げる方向ではなく、重力に従って押し下げる方向に動かせば良いから、紙片を切り出す作業に要求される力が少なくて良い。また、従来のトイレットペーパーホルダーは、上フタの端部で紙を引きちぎる構成だから、紙を切ろうとする時は、上フタが動かないよう押さえつける必要がある。従って、片手で作業することは困難であるという実情があるが、これに対し本発明では、カッター部材は中蓋部材に取り付けられているから、切断に際し上蓋部材を押さえておく必要が無い。さらに、中蓋部材を閉位置の方向に付勢する付勢手段も備えられているから、紙片を切り出す力に抗って中蓋部材が閉位置に付勢される。これにより、両手を使うことなく、片手で簡単に紙片を切り出すことができる。
【００２１】
ところで、本発明によれば、開口部より紙を引き出す際には、上蓋部材を開位置の状態にしておいても構わないが、閉位置にしておくと、一層便利である。すなわち、本発明によれば、保持手段がさらに備えられているから、上蓋部材が閉位置の時に、開口部より引き出された紙を、上蓋部材との協働で挟んで保持できる。従って、開口部より紙を引き出した状態で上蓋部材を閉位置にすると、保持手段と上蓋部材との間で引き出された紙の一部が挟まれて保持される。これにより、引き出された紙がロールペーパーの自重で巻き戻されたり、引き出した勢いでロールペーパーが無駄に回転して必要量以上の紙が引き出されたりする虞が軽減し、一層使いやすい。
【００２２】
また、本発明によれば、開口部は中央より後側に形成されており、カッター部材は中蓋部材の前面に取り付けられている。従って、開口部より引き出した紙をカッター部材に押し当てて切断すると、中蓋部材の後側から前側にわたって紙が引き出され、中蓋部材の表面上に配置されることとなる。次に本発明品を使用する者は、中蓋部材の表面に引き出されている紙片をつかむだけでロールペーパー本体から新たな紙を引き出すことができる。つまり、片手のみで紙を引き出すことができるので、とても使い勝手の良いロールペーパー耳出しカットホルダーを提供することができる。
【００２３】
また、本発明のロールペーパー耳出しカットホルダーによれば、収納箱の下部には、自立可能に据え置くための据え置き部が備えられている。従って、所定の棚やゴミ箱、机の上などに自立させることができるので、従来のトイレットペーパーホルダーのように壁に取り付ける必要が無い。これにより、取り付ける壁が無いような場所にも自由に設置することができるので、極めて便利なロールペーパー耳出しカットホルダーを提供することができる。
【００２４】
また、本発明のロールペーパー耳出しカットホルダーにおいて、「所定の高さを有する移動可能な据え置き台の上面に設けられた被係合部に対して係合可能な係合部をさらに有する」ものとすることができる。
【００２５】
ここで、「所定の高さを有する移動可能な据え置き台」としては、例えば公知のゴミ箱、スタンド式灰皿、テーブル、棚などが例示できる。また、「被係合部」及び「係合部」の形状としては、特に限定されるものではないが、例えば筒状の「被係合部」の内周に「係合部」を合致させる構成、凸状の「被係合部」に凹状の「被係合部」を合致させる構成、または凹状の「被係合部」に凸状の「被係合部」を合致させる構成、等が挙げられる。
【００２６】
従って、本発明のロールペーパー耳出しカットホルダーによれば、据え置き台の上面に設けられた被係合部に対して係合可能な係合部がさらに備えられている。これにより、腰をかがめたり座ったりして本発明品を使用する場合（トイレ使用時、テーブルに座っている時、ベッドに横たわっている時、等）に、使用者がより使いやすい所定の高さに本発明品を設置することができる。また、被係合部に係合部を合致させることで、本発明品の設置場所が固定されるから、使用時に本発明品が動いて設置場所がずれる虞が軽減され、より使いやすいロールペーパー耳出しカットホルダーを提供することができる。
【発明の効果】
【００２７】
このように、本発明のロールペーパー耳出しカットホルダーによれば、開口部から引き出された紙を下側に引くことで紙を切断できるから、力を使わずに紙片を切断することができる。さらに、上蓋部材と保持手段との協働で紙が挟まれる構成だから、手で押さえなくても紙片を切り出すことができる。つまり、片手の操作のみで所望の紙片を切り出すことができるから、両手での操作が困難な者にとってより使いやすいロールペーパー耳出しカットホルダーが提供できる。また、開口部より引き出された紙を切断した後は、中蓋部材の表面に紙が配置された状態で残るから、次に使用する際には新たに紙を引き出す必要がなく、とても便利である。さらに、据え置き部が設けられているから、既存の施設に簡単に配置することができる。
【発明を実施するための最良の形態】
【００２８】
以下、本発明の一実施形態であるロールペーパー耳出しカットホルダーについて、図１乃至図４に基づき説明する。図１は本発明のロールペーパー耳出しカットホルダーを示す斜視図、図２は中蓋部材及び上蓋部材を開位置にした状態を示す斜視図、図３及び図４はロールペーパー耳出しカットホルダーの使用方法を説明した説明図である。
【００２９】
本発明のロールペーパー耳出しカットホルダー１は、図１及び図２に主に示すように、ロールペーパー２が収納可能な収納箱３と、中蓋部材４と、上蓋部材５とを有している。なお、図２では、説明のためにロールペーパー２の図示を省略している。
【００３０】
収納箱３は、上面６（図２：一点差線部参照）が開放された直方体の形状をしており、下部には、自立可能に据え置くための据え置き部７が備えられている。収納箱３の底部には、回動部材８がさらに備えられている。回動部材８は、互いに離間して設けられた二本のローラー８ａ，８ｂより構成されている。ローラー８ａ，８ｂは、ロールペーパー２の回動に応じて回動する部材であり、収納箱３内部にセットされたロールペーパー２の外周に夫々接触するように配置されている。ここで、「二本のローラー８ａ，８ｂ」が、本発明の回動部材に相当する。
【００３１】
中蓋部材４は、収納箱３の前側に位置する回動軸９において、回動可能に軸支されている。ここで、「前側」とは、使用時において使用者側に近い方を示し（図１：矢印Ｆ参照）、後述する「後側」とは、使用者側より奥側（図１：矢印Ｂ参照）を示す。中蓋部材４は、回動軸９を中心として、上面６が開放される開位置と、上面６に開口部１０（図４：一点差線部参照）が形成される閉位置との間で回転する。
【００３２】
中蓋部材４の前側には、カッター部材１１が取り付けられている。カッター部材１１は、切断歯１１ａが中蓋部材４の表面より突出しており、中蓋部材４が閉位置の時は、切断歯１１ａが上側を向くように取り付けられている（図４（ａ）参照）。また、中蓋部材４は、弾性部材１２によって収納箱３に接続されている。弾性部材１２は、中蓋部材４を閉位置の方向へと付勢するものであり、（図示は一部省略されているが）収納箱３と中蓋部材４の左右側面側に夫々取り付けられている。ここで、「弾性部材１２」が、本発明の「付勢手段」に相当する。
【００３３】
また、中蓋部材４の表面には、スポンジ１６が貼着されている。スポンジ１６は、カッター部材１１の切断歯１１ａの突出量よりも大きくなるような厚みのものが選択されている。従って、上蓋部材５を閉位置にすると、上蓋部材５とスポンジ１６とが当接し、上蓋部材５と切断歯１６とは当接しにくいよう構成されている。ここで、「スポンジ１６」が、本発明の保持手段に相当する。
【００３４】
上蓋部材５は、収納箱３の開口部１０より後側（矢印Ｂ）の側面に位置する回転軸１３において回動可能に軸支されている。略水平な使用閉位置（図１の状態）と、開口部１０が露出する取出開位置（図２の状態）との間で回動することができる。上蓋部材５の後端部分には、ストッパー１４が形成されている。ストッパー１４は、上蓋部材５の重心が回転軸１３よりも後方に位置した状態で、収納箱３の後端部１５に当接するよう構成されている。従って、上蓋部材５は、ストッパー１４が後端部１５に当接することで取出開位置で固定される。
【００３５】
なお、本例の弾性部材１２は、中蓋部材４が開位置の状態において、回転軸９と略同じ高さとなるよう取り付けられている。より詳細には図２に示すように、中蓋部材４及び弾性部材１２の接続点Ｐ１と、回転軸９と、上蓋部材５及び弾性部材１２の接続点Ｐ２とは、中蓋部材４が開位置の状態において略一直線上に並ぶように配置されている。これにより、中蓋部材４は、閉位置の状態に付勢されると共に、開位置の状態にも固定される。なお、例えば接続点Ｐ１を回転軸９よりも下側に位置させると、本例と同様に中蓋部材４を開位置に固定することができるが、この場合には切断歯１１ａが下側を向くまで中蓋部材４が回動する虞がある。そうすると、中蓋部材４を閉位置に戻すまでに回動させなければいけない量が増えて面倒である。これに対し、本例では、開位置と閉位置との間の中蓋部材４の回動量が必要最小限に留めておくことができるので、より好適である。
【００３６】
また、本実施形態のロールペーパー耳出しカットホルダー１には、後述する据え置き台１８（図３参照）の被係合部１９に係合可能な係合部１７がさらに備えられている。係合部１７は、フランジ状の部材であり、据え置き台１８の上面に係合できるよう構成されている。なお、本例では、所定高さを有する筒状の部材に投入口４０を設け、ゴミ箱としても利用できる据え置き台１８を例示している。
【００３７】
次に、本実施形態のロールペーパー耳出しカットホルダー１の使用方法について、図３及び図４に基づき説明する。本実施形態のロールペーパー耳出しカットホルダー１は、据え置き部７が設けられているから、卓上などに据え置いて使用することも可能であるが、図３に示すように、据え置き台１８に係合させて使用することも可能である。より具体的には、据え置き台１８の上面に設けられた被係合部１９に合致する係合部１７が備えられているから、据え置き部７及び係合部１７を据え置き台１８の上面に挿入して使用することができる。据え置き台１８は公知のものが適宜に使用され、本実施形態では、約６００ｍｍ程度の所定の高さを有するものを使用している。このように、据え置き台１８に係合させてロールペーパー耳出しカットホルダー１を使用することで、壁が無いような場所や、若しくは既に他のロールペーパーホルダーが取り付けられているような場所にも自由に取り付けることができる。また、据え置き台１８をゴミ入れとして使用することもできるから、使用済みの紙片を捨てることができ一層便利である。
【００３８】
続いて、ロールペーパー耳出しカットホルダー１の具体的な使用方法について、図４に基づき説明する。図４では、説明を簡略にするために据え置き台１８の図示を省略している。まず、図４（ａ）に示すように、ロールペーパー耳出しカットホルダー１の上蓋部材５を矢印２０に示すように回動させる。上蓋部材５の後端部分にはストッパー１４が形成されているから、重心が回転軸１３より後方に移動した状態でストッパー１４が収納箱３の後端部１５に当接し、上蓋部材５の取出開位置が固定される。従って、使用者は、上蓋部材５から手を離して中蓋部材４を開放させることができる（両手を使用する必要が無い）。
【００３９】
中蓋部材４は、閉位置においては図４（ａ）に示すように、収納箱３の上面６（図２参照）の後方に開口部１０が形成されるように上面６の一部を閉塞している。そして、回動軸９を中心として矢印２１の方向に回動させることで、図４（ｂ）に示す開位置へと回動させることができる。中蓋部材４が開位置にくると、収納箱３の上面６が広く開放され、ロールペーパー２を簡単に収納できるようになる。ロールーペーパー２は、本実施形態ではトイレットペーパーを例示している。また、ロールペーパー２の向きとしては、どちらでも構わないが、図４（ｂ）に示すように、ロールペーパー２本体の後側から紙片が引き出されてくるような向きにセットすると、後方に形成されている開口部１０からスムーズに取出せるので、紙が途中で千切れにくく好適である。
【００４０】
ロールペーパー２を収納箱３の内部に収納した後は、中蓋部材４を矢印２１とは逆の向きに回動させ、開位置から閉位置へと移動させる。そして、開口部１０よりロールペーパー２の端部をつまみ出し、紙３０を前側へと引き出して垂らす（図４（ｃ））。ロールペーパー２を開口部１０より引き出すと、ロールペーパー２の回動に応じて回動部材８（図２参照）が回動し、ロールペーパー２の回動を補助する。従って、開口部１０より軽やかにロールペーパー２の端部が引き出される。回動部材８は二本のローラー８ａ，８ｂによって構成されており、ロールペーパー２は、ローラー８ａとローラー８ｂとの間にその回動中心が位置するように載置されている。つまり、ロールペーパー２は、回動部材８に対して二点で接触するよう配置されているので、径が変わっても常に安定した位置で回動する。これにより、収納箱３の内部でロールペーパー２の位置がごろつかず、安定した位置（二本のローラー８ａ，８ｂの間）で紙３０を供給することができる。ここで、「紙３０」が、本発明の「ロールペーパーより引き出された紙片」に該当する。
【００４１】
そして、上蓋部材５を矢印２２の方向に回動させ、図４（ｄ）に示す使用閉位置にする。すると、スポンジ１６と上蓋部材５との間に紙が挟まれ、その位置が固定される。本例では、スポンジ１６の厚みは、切断歯１１ａの突出量よりも大きく構成されているので、切断歯１１ａと上蓋部材５とが干渉して刃先を痛める状態が回避されている。また、切断歯１１ａと上蓋部材５とが干渉せず、スポンジ１６と上蓋部材５とが当接することで紙３０を保持し、引き出し量を固定できる。これにより、ロールペーパー２の自重によって紙３０が巻き戻る状態が防止されている。
【００４２】
そして、引き出された紙３０を下側（矢印２３）へと引っ張る。スポンジ１６は、比較的柔らかい素材なので、紙３０が下側に引っ張られるのに応じて厚み方向が縮められる。また、この時、スポンジ１６の表面の摩擦力によって紙３０の位置が固定されるから、下側へと引っ張った勢いで余剰な量の紙３０が引き出されてしまうことが防止される。こうして、紙３０が切断歯１１ａに当接し、所定量の紙片を切断することができる。なお、本例のロールペーパー耳出しカットホルダー１によれば、弾性部材１２が備えられているから、中蓋部材４は閉位置の方向へと付勢されている。従って、紙３０を下側へ引っ張っても、この力につられて中蓋部材４が開位置へと回動することが防止されている。
【００４３】
次に本例のロールペーパー耳出しカットホルダー１を使用する場合は、ロールペーパー２をセットする工程を省略することができる。つまり、図４（ｅ）に示すように、上蓋部材５を矢印２４の方向に回動させ、取出開位置にするだけで、紙３０が引き出された状態となっている。すなわち、上述したように、開口部１０から引き出された紙３０が切断歯１１ａの位置まで引き出されているから、中蓋部材４の表面に紙３０が配置された状態になっている。従来のトイレットペーパーホルダーでは、使用者は、一方の手で上フタを持ち上げ、他方の手でロールペーパーを回転させて紙の端部を探し出し、所定量を引き出さねばならなかった。これに対し、本例のロールペーパー耳出しカットホルダー１によれば、上蓋部材５を持ち上げると、すでに引き出された紙３０が中蓋部材４上に配置されているから、片手で紙３０をつまめば所定量を引き出すことができる。また、切断歯１１ａは上蓋部材５ではなく中蓋部材４に取り付けられているから、上蓋部材５を押さえていなくても紙３０を切断することができる。さらに、切断歯１１ａが上側を向いているから紙３０を下側に引けばよく、比較的軽い力で紙片を得ることができる。
【００４４】
以上のように、本例のロールペーパー耳出しカットホルダー１によれば、中蓋部材４に取り付けられたカッター部材１１を用いて紙３０を切断する構成である。従って、従来のように上蓋部材５で紙片を切り出す必要が無いから、切り出す際に上蓋部材５を押さえつけておかなくても良い。これにより、片手で操作できる便利なロールペーパー耳出しカットホルダー１を提供することができる。また、カッター部材１１の切断歯１１ａは、中蓋部材４が閉位置の時に、上側を向くように取り付けられている。従って、紙３０を下側に引っ張るだけで切断することができるから、上側に引っ張る従来の場合より力が必要とされず、便利である。さらに、上蓋部材５は、重心が回転軸１３よりも後方に位置した状態で、ストッパー１４が後端部１５に当接するよう構成されている。これにより、手を離しても上蓋部材５が開位置へと固定されるので、上蓋部材５を押さえることなく紙片を得ることができる。
【００４５】
また、本例のロールペーパー耳出しカットホルダー１によれば、二本のローラー８ａ，８ｂによる回動部材８が備えられているから、ロールペーパー２の回動を補助して、軽く回転させることができる。これにより、ロールペーパー２より紙３０を引き出す力が軽減されると共に、引き出す途中で紙３０が千切れてしまうことを防止できる。また、ローラー８ａ，８ｂの略中心にロールペーパー２がセットされるから、回動部材８とロールペーパー２とが互いに二点（ローラー８ａ，８ｂ）で接触する。これにより、ロールペーパー２の回動位置が安定し、収納箱３の内部でごろつかない。
【００４６】
さらに、本例のロールペーパー耳出しカットホルダー１によれば、回動部材８はロールペーパー２の外周に接触するように配置されている。これにより、芯部が中実のロールペーパーにも好適に使用できるので、芯のある中空のロールペーパーよりも交換頻度が下がって便利である。また、ロールペーパーの芯の形状に依存せずに使用することができるから、幅広いタイプのロールペーパーに対応できる。
【００４７】
また、本例のロールペーパー耳出しカットホルダー１によれば、弾性部材１２がさらに備えられているから、中蓋部材４が閉位置の方向へと付勢されている。従って、紙３０を切断歯１１ａに押し付けて切断するときに、その力に引っ張られて中蓋部材４が開位置へと動く状態が抑制される。これにより、安定して紙３０を切断して紙片を取り出すことができ、使いやすい。
【００４８】
さらに、本例のロールペーパー耳出しカットホルダー１によれば、係合部１７が備えられているから、市販のゴミ箱などの据え置き台１８に載置して使用することができる。これにより、取り付けるべき壁が無い場所や、壁があっても（すでに他のペーパーホルダーが有る等して）取り付ける場所がない場合でも設置することができる。また、壁に取り付ける手間も削減され、据え置き台１８上に載置するだけでロールペーパー耳出しカットホルダー１を配置できる。
【００４９】
以上、本発明について好適な実施形態を挙げて説明したが、本発明はこれらの実施形態に限定されるものではなく、以下に示すように、本発明の趣旨を逸脱しない範囲において種々の改良及び設計の変更が可能である。
【００５０】
すなわち、上記実施形態によれば、カッター部材１１よりも後方に中蓋部材４の回転軸９が取り付けられている構成を例示したが、この構成に限定されるものではない。例えば、収納箱３の前面よりさらに前側に突出する延出部材を取り付け、当該延出部材に回転軸９を取り付けても良い。このように構成すると、回転軸９よりもカッター部材１１が後方側に位置する。従って、紙３０を下側に引っ張ると、中蓋部材４が閉位置に閉じる方向へと力を加えることになるので、切断の力につられて中蓋部材４が開位置へと回動する虞が軽減する。これにより、弾性手段１２を省略しても安定して紙片を切り出すことができる。但し、本例のように、弾性部材１２を用いると、前述のような延出部材を設ける必要が無くなるので、ロールペーパー耳出しカットホルダー１全体をよりコンパクトに形成することができ、好適である。
【００５１】
また、上記実施形態によれば、ロールペーパー耳出しカットホルダー１を据え置き台１８上に載置する場合を例示したが、適宜なブラケットを追加して壁に取り付けて使用しても良い。また、据え置き台は、据え置き台１８には限定されずスタンド式灰皿などでも構わない。さらに、据え置き部７が備えられているから、据え置き台を利用せず、直接個室内の棚や床、テーブルなどに据え置いて使用することも可能である。
【図面の簡単な説明】
【００５２】
【図１】本発明のロールペーパー耳出しカットホルダーを示す斜視図である。
【図２】中蓋部材及び上蓋部材を開放した状態を示す斜視図である。
【図３】ロールペーパー耳出しカットホルダーの使用方法を説明した説明図である。
【図４】ロールペーパー耳出しカットホルダーの使用方法を説明した説明図である。
【符号の説明】
【００５３】
１  ロールペーパー耳出しカットホルダー
２  ロールペーパー
３  収納箱
４  中蓋部材
５  上蓋部材
６  上面
７  据え置き部
８  回動部材
８ａ  ローラー
８ｂ  ローラー
１０  開口部
１１  カッター部材
１１ａ  切断歯
１２  弾性部材（付勢手段）
１３  回転軸
１６  スポンジ（保持手段）
１７  係合部
１８  ゴミ箱（据え置き台）
１９  被係合部
３０  紙（紙片）
【図１】
2008212293.tif 000003
【図２】
2008212293.tif 000004
【図３】
2008212293.tif 000005
【図４】
2008212293.tif 000006